(57)【要約】  本発明の目的は、拠点間を接続するレイヤ２ネットワークにおけるＭＡＣアドレスの増大に伴うネットワークリソースの消費低減である。トランスポートネットワーク制御装置は、レイヤ２接続サービスを提供するトランスポートネットワークを介して接続される第１、第２の拠点を管理するクラウド管理システムから、前記拠点から送信されるフレームに使用されるＭＡＣアドレスを取得する手段と、前記トランスポートネットワーク上に、前記ＭＡＣアドレスを宛先とする前記第１、第２の拠点間のフレームを転送する転送経路を計算する手段と、前記トランスポートネットワーク上の転送ノードに、前記計算した転送経路に沿って前記フレームを転送させる転送ルールを設定する手段と、を備える。
2017164068.tif 000002
【特許請求の範囲】
【請求項１】
レイヤ２接続サービスを提供するトランスポートネットワークを介して接続される第１、第２の拠点を管理するクラウド管理システムから、前記拠点から送信されるフレームに使用されるＭＡＣアドレスを取得する手段と、
前記トランスポートネットワーク上に、前記ＭＡＣアドレスを宛先とする前記第１、第２の拠点間のフレームを転送するための転送経路を計算する手段と、
前記トランスポートネットワーク上の転送ノードに、前記計算した転送経路に沿って前記フレームを転送させる転送ルールを設定する手段と、
を備えたトランスポートネットワーク制御装置。
【請求項２】
前記転送経路を計算する手段は、前記拠点のうち選択した拠点をルートとする最短パスツリーを計算することで、拠点間のフレームを転送するための転送経路を計算し、
前記転送ルールを設定する手段は、前記計算した転送経路を、前記拠点間のフレームの転送に共用する請求項１のトランスポートネットワーク制御装置。
【請求項３】
複数の拠点のうち、前記転送ルールによるフレームの転送先となる拠点と、それ以外の拠点とをそれぞれ管理し、
前記トランスポートネットワークのエッジノードに、受信フレームのＭＡＣアドレスがいずれの転送ルールにもマッチしない場合、前記転送ルールによるフレームの転送先となる拠点以外の拠点に、前記受信フレームのフラッディングを実施させる請求項１又は２のトランスポートネットワーク制御装置。
【請求項４】
さらに、前記クラウド管理システムから、ＭＡＣアドレスと、当該ＭＡＣアドレスに対応付けられた仮想ネットワーク識別子との組を取得する手段と、
前記クラウド管理システムが管理する拠点に接続されたエッジノードに、前記拠点宛てのフレームを送信する際に、前記フレームに、前記仮想ネットワーク識別子を付与してから送信させる請求項１から３いずれか一のトランスポートネットワーク制御装置。
【請求項５】
レイヤ２接続サービスを提供するトランスポートネットワークを介して接続される第１、第２の拠点を管理するクラウド管理システムから、前記拠点から送信されるフレームに使用されるＭＡＣアドレスを取得する手段と、前記トランスポートネットワーク上に、前記ＭＡＣアドレスを宛先とする前記第１、第２の拠点間のフレームを転送する転送経路を計算する手段と、前記トランスポートネットワーク上の転送ノードに、前記計算した転送経路に沿って前記フレームを転送させる転送ルールを設定する手段と、を備えたトランスポートネットワーク制御装置と、
前記トランスポートネットワーク上の転送ノードと、を含む通信システム。
【請求項６】
レイヤ２接続サービスを提供するトランスポートネットワークを介して接続される第１、第２の拠点を管理するクラウド管理システムに接続されたトランスポートネットワーク制御装置が、
前記クラウド管理システムから、前記拠点から送信されるフレームに使用されるＭＡＣアドレスを取得するステップと、
前記トランスポートネットワーク上に、前記ＭＡＣアドレスを宛先とする前記第１、第２の拠点間のフレームを転送するための転送経路を計算するステップと、
前記トランスポートネットワーク上の転送ノードに、前記計算した転送経路に沿って前記フレームを転送させる転送ルールを設定するステップと、
を含む転送ノードの制御方法。
【請求項７】
レイヤ２接続サービスを提供するトランスポートネットワークを介して接続される第１、第２の拠点を管理するクラウド管理システムに接続されたトランスポートネットワーク制御装置を構成するコンピュータに、
前記クラウド管理システムから、前記拠点から送信されるフレームに使用されるＭＡＣアドレスを取得する処理と、
前記トランスポートネットワーク上に、前記ＭＡＣアドレスを宛先とする前記第１、第２の拠点間のフレームを転送するための転送経路を計算する処理と、
前記トランスポートネットワーク上の転送ノードに、前記計算した転送経路に沿って前記フレームを転送させる転送ルールを設定する処理と、
を実行させるプログラム。
【発明の詳細な説明】
【技術分野】
【０００１】
（関連出願についての記載）
本発明は、日本国特許出願：特願２０１６−０５６８４７号（２０１６年３月２２日出願）の優先権主張に基づくものであり、同出願の全記載内容は引用をもって本書に組み込み記載されているものとする。
本発明は、トランスポートネットワーク制御装置、通信システム、転送ノードの制御方法及びプログラムに関し、特に、拠点間のレイヤ２接続サービス（ブリッジング接続サービス）を提供するトランスポートネットワーク制御装置、通信システム、転送ノードの制御方法及びプログラムに関する。
【背景技術】
【０００２】
特許文献１に、オープンフローに代表される集中管理型ネットワークの制御装置の一意例が開示されている。特許文献２には、パケット転送ネットワークの転送ノードにおけるパケットの転送で用いる転送情報を決定する方法の一例が開示されている。【０００３】
特許文献３の段落００６１に、「クラウドコンピューティング仮想化データセンタでは、・・・仮想ホストのＭＡＣアドレスとＩＰアドレスの両方がクラウド管理システムによって管理され、割り振られ、したがって、この場合、各仮想ホストのＩＰとＭＡＣとの間の対応は、クラウド管理システムによって直接ＡＲＰサーバ中に設定され得る。」との記載がある。特許文献４には、簡略化された転送テーブルを用いて実現可能であり、しかも、データパケットの経路制御にも適用できるという通信システムが開示されている。
【先行技術文献】
【特許文献】
【０００４】
【特許文献１】特開２０１４−１３８２４４号公報
【特許文献２】特開２０１４−１７８４２号公報
【特許文献３】特表２０１３−５３２９２７号公報
【特許文献４】特開２０１４−２０７７１６号公報
【発明の概要】
【発明が解決しようとする課題】
【０００５】
以下の分析は、本発明によって与えられたものである。データセンタ等の拠点間をレイヤ２ネットワークで接続すると、１つのネットワークにＭＡＣ（Ｍｅｄｉａ  Ａｃｃｅｓｓ  Ｃｏｎｔｒｏｌ）が存在することになってしまう。ＭＡＣアドレスの増大は、未学習フレームの学習のためのフラッディングトラフィックの増加をもたらし、ひいては、ネットワークリソース（帯域（データ転送速度）やコピー処理の負荷）を大量に消費してしまうという問題点がある。さらに、データセンタに仮想化サーバが配置されているような場合、上記ＭＡＣアドレスの数はさらに増大することになる。【０００６】
さらに、ネットワークの構成変更等の理由により、ループが発生した場合、ネットワーク全体に重大な影響を与える可能性がある。【０００７】
本発明は、上記拠点間を接続するレイヤ２ネットワークにおけるＭＡＣアドレスの増大に伴うネットワークリソースの消費低減に貢献できるトランスポートネットワーク制御装置、通信システム、転送ノードの制御方法及びプログラムを提供することを目的とする。
【課題を解決するための手段】
【０００８】
第１の視点によれば、レイヤ２接続サービスを提供するトランスポートネットワークを介して接続される第１、第２の拠点を管理するクラウド管理システムから、前記拠点から送信されるフレームに使用されるＭＡＣアドレスを取得する手段を備えたトランスポートネットワーク制御装置が提供される。このトランスポートネットワーク制御装置は、さらに、前記トランスポートネットワーク上に、前記ＭＡＣアドレスを宛先とする前記第１、第２の拠点間のフレームを転送する転送経路を計算する手段を備える。このトランスポートネットワーク制御装置は、さらに、前記トランスポートネットワーク上の転送ノードに、前記計算した転送経路に沿って前記フレームを転送させる転送ルールを設定する手段と、を備える。【０００９】
第２の視点によれば、上記したトランスポートネットワーク制御装置と、前記トランスポートネットワーク上の転送ノードと、を含む通信システムが提供される。【００１０】
第３の視点によれば、レイヤ２接続サービスを提供するトランスポートネットワークを介して接続される第１、第２の拠点を管理するクラウド管理システムに接続されたトランスポートネットワーク制御装置が、前記クラウド管理システムから、前記拠点から送信されるフレームに使用されるＭＡＣアドレスを取得するステップと、前記トランスポートネットワーク上に、前記ＭＡＣアドレスを宛先とする前記第１、第２の拠点間のフレームを転送する転送経路を計算するステップと、前記トランスポートネットワーク上の転送ノードに、前記計算した転送経路に沿って前記フレームを転送させる転送ルールを設定するステップと、を含む転送ノードの制御方法が提供される。本方法は、レイヤ２接続サービスを提供するトランスポートネットワークを制御する制御装置という、特定の機械に結びつけられている。【００１１】
第４の視点によれば、レイヤ２接続サービスを提供するトランスポートネットワークを介して接続される第１、第２の拠点を管理するクラウド管理システムに接続されたトランスポートネットワーク制御装置を構成するコンピュータに、前記クラウド管理システムから、前記拠点から送信されるフレームに使用されるＭＡＣアドレスを取得する処理と、前記トランスポートネットワーク上に、前記ＭＡＣアドレスを宛先とする前記第１、第２の拠点間のフレームを転送する転送経路を計算する処理と、前記トランスポートネットワーク上の転送ノードに、前記計算した転送経路に沿って前記フレームを転送させる転送ルールを設定する処理と、を実行させるプログラムが提供される。なお、このプログラムは、コンピュータが読み取り可能な（非トランジエントな）記憶媒体に記録することができる。即ち、本発明は、コンピュータプログラム製品として具現することも可能である。
【発明の効果】
【００１２】
本発明によれば、拠点間を接続するレイヤ２ネットワークにおけるＭＡＣアドレスの増大に伴う影響を抑えることが可能となる。
【図面の簡単な説明】
【００１３】
【図１】本発明の一実施形態の構成を示す図である。
【図２】本発明の一実施形態の動作を説明するための図である。
【図３】本発明の第１の実施形態の通信システムの構成を示す図である。
【図４】本発明の第１の実施形態のトランスポートネットワーク制御装置の構成を示す図である。
【図５】本発明の第１の実施形態のトランスポートネットワーク制御装置が保持するＭＡＣアドレス情報の一例を示す図である。
【図６】本発明の第１の実施形態のトランスポートネットワーク制御装置の動作を表した流れ図である。
【図７】本発明の第１の実施形態のトランスポートネットワーク制御装置の動作を説明するための図である。
【図８】本発明の第２の実施形態の通信システムの構成を示す図である。
【図９】本発明の第２の実施形態のトランスポートネットワーク制御装置の構成を示す図である。
【図１０】本発明の第２の実施形態のトランスポートネットワーク制御装置が保持する拠点情報の一例を示す図である。
【図１１】本発明の第２の実施形態のトランスポートネットワーク制御装置によって制御される転送ノードの動作を説明するための図である。
【図１２】本発明の第２の実施形態のトランスポートネットワーク制御装置によって制御される転送ノードの学習動作を説明するための図である。
【図１３】本発明の第３の実施形態の通信システムの構成を示す図である。
【図１４】本発明の第３の実施形態のトランスポートネットワーク制御装置の構成を示す図である。
【図１５】本発明の第３の実施形態のトランスポートネットワーク制御装置が保持する情報を説明するための図である。
【図１６】本発明の第３の実施形態のトランスポートネットワーク制御装置の動作を表した流れ図である。
【図１７】本発明の第３の実施形態のトランスポートネットワーク制御装置の動作を説明するための図である。
【発明を実施するための形態】
【００１４】
はじめに本発明の一実施形態の概要について図面を参照して説明する。なお、この概要に付記した図面参照符号は、理解を助けるための一例として各要素に便宜上付記したものであり、本発明を図示の態様に限定することを意図するものではない。また、以下の説明で用いる図面中のブロック間の接続線は、双方向及び単方向の双方を含む。一方向矢印については、主たる信号（データ）の流れを模式的に示すものであり、双方向性を排除するものではない。
【００１５】
本発明は、その一実施形態において、図１に示すように、ＭＡＣアドレス取得部１１と、経路計算部１２と、転送ルール作成・設定部１３とを備えるトランスポートネットワーク制御装置１０にて実現できる。
【００１６】
より具体的には、ＭＡＣアドレス取得部１１は、レイヤ２接続サービスを提供するトランスポートネットワークを介して接続される第１、第２の拠点を管理するクラウド管理システム２０から、前記拠点から送信されるフレームに使用されるＭＡＣアドレスを取得する。例えば、ＭＡＣアドレス取得部１１は、図２の右側吹き出し内に示すように、クラウド管理システム２０から拠点内に存在する端末や仮想マシン等のＭＡＣアドレスを取得する。
【００１７】
経路計算部１２は、前記トランスポートネットワーク上に、前記ＭＡＣアドレスを宛先とする前記第１、第２の拠点間のフレームを転送するための転送経路を計算する。例えば、経路計算部１２は、図２に示すように、拠点Ａから送信されたフレームを拠点Ｂに転送するための転送経路を計算する。
【００１８】
転送ルール作成・設定部１３は、前記トランスポートネットワークの転送ノードに、前記計算した転送経路に沿って前記フレームを転送させる転送ルールを設定する。例えば、転送ルール作成・設定部１３は、図２の左側吹き出し内に示すように、トランスポートネットワーク上の転送ノードに、拠点Ａから送信された拠点Ｂ宛てフレームを拠点Ｂに転送させる転送ルールを設定する。
【００１９】
上記構成によれば、事前に、拠点間のフレームを転送するための経路計算と、転送ルールの設定が行われるため、未学習フレームの学習のためのフラッディングトラフィックをほぼ無くすことが可能となる。フラッディングトラフィック自体が減少するため、仮にループが発生するような事態が生じても、その影響を軽減することも可能となっている。
【００２０】
［第１の実施形態］
続いて、本発明の第１の実施形態について図面を参照して詳細に説明する。図３は、本発明の第１の実施形態の通信システムの構成を示す図である。図３を参照すると、データセンタＡ〜データセンタＣを管理するクラウド管理システム２００と、これらデータセンタ間を接続するトランスポートＳＤＮ（Ｓｏｆｔｗａｒｅ  Ｄｅｆｉｎｅｄ  Ｎｅｔｗｏｒｋ）３００と、トランスポートＳＤＮ３００を制御するトランスポートネットワーク制御装置１００とを含む構成が示されている。なお、図３の破線の下側がユーザデータ等の転送を担うデータプレーン（Ｄ−Ｐｌａｎｅ）に相当し、上側がこのデータプレーンを制御するコントロールプレーン（Ｃ−Ｐｌａｎｅ）に相当する。以下の実施形態では、データセンタを接続する例を挙げるが、接続される拠点はデータセンタに限られず、その他一般に「クラウド」と呼ばれる情報システムであればよい。
【００２１】
クラウド管理システム２００は、それぞれ管轄のデータセンタ４００（データセンタＡ〜Ｃ）を管理する。このようなクラウド管理システム２００としては、例えば、ＯｐｅｎＳｔａｃｋ等のクラウド管理基盤が挙げられる。
【００２２】
トランスポートネットワーク制御装置１００は、トランスポート網をＳＤＮ化する装置である。トランスポートネットワーク制御装置１００は、トランスポートＳＤＮ３００上の転送ノード３０１を制御することで、データセンタ間のレイヤ２接続サービス（以下、Ｌ２接続サービス）を提供する。
【００２３】
なお、図３の例では、データセンタＣは、トランスポートネットワーク制御装置１００の制御を受けない（第２の）トランスポートネットワーク５００を介して、トランスポートＳＤＮ（Ｔ−ＳＤＮとも記す）３００に接続されているが、データセンタＣが、直接トランスポートＳＤＮ３００に接続されていてもよい。
【００２４】
図４は、本発明の第１の実施形態のトランスポートネットワーク制御装置３００の詳細構成を示す図である。図４を参照すると、ＭＡＣアドレス取得部１０１と、経路計算部１０２と、転送ルール作成・設定部１０３と、ＭＡＣアドレス記憶部１０４と、トポロジー記憶部１０５とを備えた構成が示されている。
【００２５】
ＭＡＣアドレス取得部１０１は、クラウド管理システム２００に対し、データセンタ内に存在するＭＡＣアドレスのリストを問い合わせて取得する手段である。例えば、ＯｐｅｎＳｔａｃｋの場合、ＯｐｅｎＳｔａｃｋ  Ｎｅｔｗｏｒｋｉｎｇと呼ばれるネットワーク管理コンポーネントのアプリケーションプログラムインタフェース（ＡＰＩ）経由で、ＭＡＣアドレスを入手することができる。ＭＡＣアドレス取得部１０１は、取得したＭＡＣアドレスをＭＡＣアドレス記憶部１０４に保存する。
【００２６】
図５は、ＭＡＣアドレス記憶部１０４におけるＭＡＣアドレスの保持態様の一例を示す図である。図５の例では、データセンタ（上述の「拠点」に相当）のＩＤと、そのデータセンタから取得したＭＡＣアドレスの一覧が保存されている。
【００２７】
経路計算部１０２は、トポロジー記憶部１０５に格納されたトポロジー情報を参照して、異なるデータセンタ間のフレームを転送するための転送経路を計算する。このような転送経路は、あるデータセンタをルートとする逆方向の最短パスツリーをダイクストラ法で計算することで得ることができる。
【００２８】
転送ルール作成・設定部１０３は、経路計算部１０２にて計算された転送経路に従い、ＭＡＣアドレス取得部１０１で取得されたＭＡＣアドレスを宛先とするデータセンタ間のフレームを転送するための転送ルールを作成し、転送経路上の転送ノード３０１に設定する。例えば、ＭＡＣアドレスがＭＡＣアドレス記憶部１０４に保持されているＭＡＣアドレスであることをマッチ条件とし、転送先を、自装置から見て前記転送経路上の次の転送ノード（ポート）とする転送ルールを作成することになる。拠点間の逆方向のフレームについても、前記計算された転送経路を共用し、逆方向の転送を実現する転送ルールを設定することができる。
【００２９】
なお、図４に示したトランスポートネットワーク制御装置１００の各部（処理手段）は、トランスポートネットワーク制御装置１００を構成するコンピュータに、そのハードウェアを用いて、上記した各処理を実行させるコンピュータプログラムにより実現することもできる。
【００３０】
続いて、本実施形態の動作について図面を参照して詳細に説明する。図６は、本発明の第１の実施形態のトランスポートネットワーク制御装置の動作を表した流れ図である。図６を参照すると、まず、トランスポートネットワーク制御装置１００は、管理対象のトランスポートＳＤＮ３００に接続するデータセンタ４００を管理するクラウド管理システム２００からＭＡＣアドレスを取得する（ステップＳ００１）。
【００３１】
次に、トランスポートネットワーク制御装置１００は、トポロジー記憶部１０５に格納されたトポロジー情報を参照して、データセンタ間のフレームを転送するための転送経路を計算する（ステップＳ００２）。
【００３２】
最後に、トランスポートネットワーク制御装置１００は、前記計算した転送経路と前記取得したＭＡＣアドレスを用いて、データセンタ間のフレームが正しく宛先のデータセンタに届くように、転送経路上の転送ノード３０１に転送ルールを設定する（ステップＳ００３）。
【００３３】
以上の処理で、データセンタ間のフレーム転送に必要な情報の設定が完了する。以降は、図７の太い破線に示すように、データセンタ間のフレームの転送が可能となる。
【００３４】
以上説明したとおり、本実施形態によれば、例えば、図７のデータセンタＡと接続するトランスポートＳＤＮ３００の転送ノード（エッジノード）がデータセンタＡ側から未学習のフレームを受信することはなくなる。その理由は、データセンタＡを管理するクラウド管理システムから事前にデータセンタＡに存在するＭＡＣアドレスを取得し、必要な転送ルールを設定しているからである。同様に、図７のデータセンタＢ、Ｃと接続するトランスポートＳＤＮ３００の転送ノード（エッジノード）がデータセンタＢ、Ｃ側から未学習のフレームを受信することはなくなる。この結果、未学習のフレームの受信を契機とするフラッディングトラフィックを大きく減少させることが可能となる。また、フラッディングトラフィックの減少は、各転送ノードにおける未学習フレームのコピー、転送等の負荷も減少させることになる。
【００３５】
［第２の実施形態］
続いて、上記第１の実施形態の方式に対応したデータセンタと、クラウド管理システムが存在しない等の理由で第１の実施形態の方式に非対応のデータセンタとがトランスポートＳＤＮ３００に接続されている構成を想定した第２の実施形態について説明する。
【００３６】
図８は、本発明の第２の実施形態の通信システムの構成を示す図である。図３に示した第１の実施形態の通信システムとの相違点は、第１の実施形態の方式に非対応、即ち、クラウド管理システム２００からＭＡＣアドレスを取得できないデータセンタＤ、ＥがトランスポートＳＤＮ３００に接続されている点である。以下、基本的な構成及び動作は第１の実施形態と同様であるので、以下、その他の相違点を中心に説明する。
【００３７】
図９は、本発明の第２の実施形態のトランスポートネットワーク制御装置１００ａの構成を示す図である。図４に示した第１の実施形態のトランスポートネットワーク制御装置１００との相違点は、拠点種別管理部１０６が追加されている点である。
【００３８】
図１０は、第２の実施形態のトランスポートネットワーク制御装置１００ａの拠点種別管理部１０６にて保持されている拠点情報（データセンタ情報）の一例を示す図である。図１０を参照すると、データセンタ毎に、第１の実施形態の方式（ＭＡＣアドレスによる事前転送ルール設定方式）に対応しているか否かが登録されている。図１０の例では、データセンタＤ及びデータセンタＥが、クラウド管理システム２００からＭＡＣアドレスを取得できないデータセンタであるため、ＭＡＣアドレスによる事前転送ルール設定方式に「非対応」となっている。なお、データセンタＤ及びデータセンタＥが事前転送ルール設定方式に「非対応」のケースとしては、クラウド管理システム２００がＭＡＣアドレスの提供を許可していない場合も含まれる。
【００３９】
本実施形態の構成によれば、トランスポートネットワーク制御装置１００ａは、データセンタＤ、ＥのＭＡＣアドレスを取得しない。このため、データセンタＡと接続されているトランスポートＳＤＮ３００の転送ノード（エッジノード）において、データセンタＤ宛てのフレーム（宛先ＭＡＣアドレス＝ＸＸ：ＸＸ：ＸＸ：ＸＸ：ＸＸ：ＸＸ）を受信すると、未学習のフレームとして認識されることになる。
【００４０】
しかしながら、本実施形態のトランスポートネットワーク制御装置１００ａは、図１１に示すように、データセンタＡと接続されているトランスポートＳＤＮ３００の転送ノード（エッジノード）３０１に対し、未学習のフレームを、ＭＡＣアドレスによる事前転送ルール設定方式に「非対応」のデータセンタＤ、Ｅにのみ送信するような転送ルールを設定する。このような転送ルールは、例えば、Ｕｎｋｎｏｗｎのフレームの転送先となる受信ポート以外のポートから、さらに、データセンタＢ、Ｃに接続されているポートを除外することで作成することができる。
【００４１】
データセンタＢ、Ｃへの転送を省略できる理由は、第１の実施形態において説明したように、データセンタＡ−Ｂ、Ａ−Ｃ、Ｂ−Ｃ間のフレームに用いられるＭＡＣアドレスは事前に取得し、転送ルールとして設定済みであるため、学習の必要が存在しないためである。
【００４２】
前記未学習フレームの転送の結果、データセンタＤ、Ｅのいずれか、例えば、データセンタＤの端末等から応答が来ることになる。この場合、図１１のデータセンタＡと接続されているトランスポートＳＤＮ３００の転送ノード（エッジノード）３０１は、図１２に示すように、ＭＡＣアドレステーブルに未学習フレームの宛先ＭＡＣアドレスと、受信ポートとの関係を登録する。以降は、図１１のデータセンタＡと接続されているトランスポートＳＤＮ３００の転送ノード（エッジノード）は、宛先ＭＡＣアドレスＸＸ：ＸＸ：ＸＸ：ＸＸ：ＸＸ：ＸＸ：ＸＸを持つフレームを受信した場合、データセンタＤに接続するポートＤにユニキャスト転送することになる。
【００４３】
以上のように本発明は、クラウド管理システムによって管理されているデータセンタとクラウド管理システムによって管理されていないデータセンタとが混在する環境においても問題なく適用することができる。また、図１１からも明らかなとおり、未学習のフレームが到着した場合でも、すべての拠点に送るのではなく、必要なデータセンタの分だけコピーを行ない、転送するように構成されているため、ネットワークリソースの消費も低減されている。
【００４４】
なお、上記した実施形態では、第１の実施形態の方式（ＭＡＣアドレスによる事前転送ルール設定方式）に対応しているか否かで未学習フレームの送信対象とするか否かを切り替えるものとして説明したが、その他の観点で、あるデータセンタを未学習フレームの送信対象にしてもよい。例えば、クラウド管理システムによって管理されているデータセンタであっても、ＭＡＣアドレスの学習を行いたい場合には、図１０に示すテーブルの種別フィールドを「非対応」にすることで、未学習フレームの送信対象にすることができる。例えば、クラウド管理システム２００からＭＡＣアドレスを取得できない場合や、データセンタにクラウド管理システムの管理外のＭＡＣアドレスを持つ端末が存在しうる場合には、あえて「非対応」を設定することも可能である。
【００４５】
［第３の実施形態］
続いて、上記第１の実施形態の方式において、データセンタ上に複数の仮想ネットワークが構築されている構成を想定した第３の実施形態について説明する。図１３は、本発明の第３の実施形態の通信システムの構成を示す図である。図３に示した第１の実施形態との相違点は、データセンタＢに仮想ネットワーク４１０が複数構成されている点である。以下、基本的な構成及び動作は第１の実施形態と同様であるので、以下、その他の相違点を中心に説明する。
【００４６】
図１４は、本発明の第３の実施形態のトランスポートネットワーク制御装置１００ｂの構成を示す図である。図４に示した第１の実施形態のトランスポートネットワーク制御装置１００との相違点は、ＭＡＣアドレス取得部１０１ａにＭＡＣアドレスとともにそのＭＡＣアドレスを持つ端末や仮想マシンの仮想ネットワークを識別するための識別子を取得する機能が追加されている点である。
【００４７】
図１５は、本実施形態のＭＡＣアドレス記憶部１０４ａにおけるＭＡＣアドレス及び仮想ネットワークの識別子の保持態様の一例を示す図である。図１５の例では、データセンタ（上述の「拠点」に相当）のＩＤと、そのデータセンタから取得したＭＡＣアドレスに加えて、ＶＩＤ（仮想ネットワーク識別子）が対応付けて保存されている。
【００４８】
続いて、本実施形態の動作について図面を参照して詳細に説明する。図１６は、本発明の第３の実施形態のトランスポートネットワーク制御装置の動作を表した流れ図である。図１６を参照すると、まず、トランスポートネットワーク制御装置１００ｂは、管理対象のトランスポートＳＤＮ３００に接続するデータセンタ４００を管理するクラウド管理システム２００からＭＡＣアドレスとネットワーク識別子の組を取得する（ステップＳ１０１）。
【００４９】
次に、トランスポートネットワーク制御装置１００ｂは、トポロジー記憶部１０５に格納されたトポロジー情報を参照して、データセンタ間のフレームを転送するための転送経路を計算する（ステップＳ１０２）。
【００５０】
次に、トランスポートネットワーク制御装置１００ｂは、前記計算された転送経路上の転送ノード（設定先）を１つ選択し、その転送ノードがデータセンタと接続されたエッジノードであるか否かを確認する（ステップＳ１０３、Ｓ１０４）。ここで、選択した転送ノードがエッジノードで無い場合、トランスポートネットワーク制御装置１００ｂは、第１の実施形態と同様に、前記計算した転送経路と前記取得したＭＡＣアドレスを用いて、データセンタ間のフレームが正しく宛先のデータセンタに届くように、当該転送ノード３０１に転送ルールを設定する（ステップＳ１０５）。
【００５１】
一方、選択した転送ノードがエッジノードである場合、トランスポートネットワーク制御装置１００ｂは、該当するフレームに、ＭＡＣアドレス記憶部１０４ａに保持されているＶＩＤを付加してから、データセンタ側に送出する処理を行わせる転送ルールを作成し、前記選択した転送ノードに設定する（ステップＳ１０６）。なお、ＶＩＤを付加する形態としては、データセンタ側に構築されている仮想ネットワークに依存するが、ＶＬＡＮ  ＩＤフィールドを使用したり、ＭＰＬＳラベルを付加したり、その他付加ヘッダ（アウターヘッダ）を付ける形態等が考えられる。
【００５２】
トランスポートネットワーク制御装置１００ｂは、図１６のステップＳ１０３以下の処理をすべての仮想ネットワークについて、すべての転送経路上の転送ノードへの設定が完了するまで継続する（ステップＳ１０７）。
【００５３】
以上の結果、本実施形態によれば、図１７に示すように、エッジノードにおいて、仮想ネットワークを表す識別子（例えば、ＶＩＤ）が付加されたフレームがデータセンタ側に送出される。結果として、データセンタ側の該当する仮想ネットワークの端末等は、仮想ネットワークを表す識別子（ＶＩＤ）に従ってフレームを受信することが可能となる。
【００５４】
なお、上記第３の実施形態と第２の実施形態を組み合わせることも可能である。この場合、エッジノードは、未学習フレームの選択的なフラッディングと、データセンタ側に送出するフレームへの仮想ネットワークを表す識別子（ＶＩＤ）の双方を実施することになる。
【００５５】
以上、本発明の各実施形態を説明したが、本発明は、上記した実施形態に限定されるものではなく、本発明の基本的技術的思想を逸脱しない範囲で、更なる変形・置換・調整を加えることができる。例えば、各図面に示したネットワーク構成、各要素の構成、メッセージの表現形態は、本発明の理解を助けるための一例であり、これらの図面に示した構成に限定されるものではない。
【００５６】
最後に、本発明の好ましい形態を要約する。
［第１の形態］
（上記第１の視点によるトランスポートネットワーク制御装置参照）
［第２の形態］
上記したトランスポートネットワーク制御装置において、
前記転送経路を計算する手段は、前記拠点のうち選択した拠点をルートとする最短パスツリーを計算することで、拠点間のフレームを転送するための転送経路を計算し、
前記転送ルールを設定する手段は、前記計算した転送経路を、前記拠点間のフレームの転送に共用する構成を採ることができる。
［第３の形態］
上記したトランスポートネットワーク制御装置において、
複数の拠点のうち、前記転送ルールによるフレームの転送先となる拠点と、それ以外の拠点とをそれぞれ管理し、
前記トランスポートネットワークのエッジノードにおいて、受信フレームのＭＡＣアドレスがいずれの転送ルールにもマッチしない場合、前記転送ルールによるフレームの転送先となる拠点以外の拠点に、前記受信フレームのフラッディングを実施させる構成を採ることができる。
［第４の形態］
上記したトランスポートネットワーク制御装置において、
さらに、前記クラウド管理システムから、ＭＡＣアドレスと、当該ＭＡＣアドレスに対応付けられた仮想ネットワーク識別子との組を取得する手段と、
前記クラウド管理システムが管理する拠点に接続されたエッジノードに、前記拠点宛てのフレームを送信する際に、前記フレームに、前記仮想ネットワーク識別子を付与してから送信させる構成を採ることができる。
［第５の形態］
（上記第２の視点による通信システム参照）
［第６の形態］
（上記第３の視点による転送ノードの制御方法参照）
［第７の形態］
（上記第４の視点によるプログラム参照）
なお、上記第５〜第７の形態は、第１の形態と同様に、第２〜第４の形態に展開することが可能である。
【００５７】
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の開示の枠内において種々の開示要素（各請求項の各要素、各実施形態ないし実施例の各要素、各図面の各要素等を含む）の多様な組み合わせ、ないし選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【００５８】
１０、１００、１００ａ、１００ｂ  トランスポートネットワーク制御装置
１１  ＭＡＣアドレス取得部
１２  経路計算部
１３  転送ルール作成・設定部
２０、２００  クラウド管理システム
１０１、１０１ａ  ＭＡＣアドレス取得部
１０２  経路計算部
１０３  転送ルール作成・設定部
１０４、１０４ａ  ＭＡＣアドレス記憶部
１０５  トポロジー記憶部
１０６  拠点種別管理部
３００  トランスポートＳＤＮ（Ｓｏｆｔｗａｒｅ  Ｄｅｆｉｎｅｄ  Ｎｅｔｗｏｒｋ）
３０１  転送ノード
４００  データセンタ
４１０  仮想ネットワーク（仮想ＮＷ）
５００  （第２の）トランスポートネットワーク  
【図１】
2017164068.tif 000003
【図２】
2017164068.tif 000004
【図３】
2017164068.tif 000005
【図４】
2017164068.tif 000006
【図５】
2017164068.tif 000007
【図６】
2017164068.tif 000008
【図７】
2017164068.tif 000009
【図８】
2017164068.tif 000010
【図９】
2017164068.tif 000011
【図１０】
2017164068.tif 000012
【図１１】
2017164068.tif 000013
【図１２】
2017164068.tif 000014
【図１３】
2017164068.tif 000015
【図１４】
2017164068.tif 000016
【図１５】
2017164068.tif 000017
【図１６】
2017164068.tif 000018
【図１７】
2017164068.tif 000019
【国際調査報告】
2017164068.tif 000020
2017164068.tif 000021
2017164068.tif 000022
2017164068.tif 000023